(57)【要約】【課題】長尺状の隠蔽カバー体により建物の外壁面に露出している配管の周囲を外壁面と共に隠蔽配置し、この隠蔽カバー体を取付部材により外壁面に取り付けることができ、建物の外壁面等に露出したままの既設の配管を隠蔽カバー体により隠蔽することができ、配管を風雨等の気象現象や外力から保護することができると共に建物の美観を保つことができる。【解決手段】建物Ｗの外壁面Ｄに露出している配管Ｈの周囲を外壁面と共に隠蔽可能な長尺状の隠蔽カバー体１と、隠蔽カバー体を外壁面に取付可能な取付部材２とからなる。【選択図】図１
0003102386.tif 000002
【実用新案登録請求の範囲】
【請求項１】
建物の外壁面に露出している配管の周囲を外壁面と共に隠蔽可能な長尺状の隠蔽カバー体と、該隠蔽カバー体を該外壁面に取付可能な取付部材とからなることを特徴とする配管隠蔽構造。
【請求項２】
上記隠蔽カバー体に上記外壁面の色に合う着色処理を施してなることを特徴とする請求項１記載の配管隠蔽構造。
【請求項３】
上記隠蔽カバー体を各種の配管の大きさ及び外壁面の色に合わせて複数種類用意してなることを特徴とする請求項２記載の配管隠蔽構造。
【考案の詳細な説明】
【技術分野】
【０００１】
本考案は例えば木造建築やコンクリート建築等の建物の外壁面に露出している配管を隠蔽する際に用いられる配管隠蔽構造に関するものである。
【背景技術】
【０００２】
従来この種の建物の外壁面に設置される配管として、電気配管、ガス配管、水道配管、ドレン配管等が知られている。
【特許文献１】実開平６−３７６８１号公報
【考案の開示】
【考案が解決しようとする課題】
【０００３】
しかしながら上記各種の配管は、建物の外壁面等に露出したまま配管されていることが多く、又、これら配管を隠蔽する特殊な構造のカバーも存在するが、配管自体の全周囲を隠蔽する専用のカバーとなっていて汎用的に使用することができず、又、既設の配管を覆うことが困難なカバーとなっており、又、当該配管用に製作することもできるが、外壁面の色と合わないカバーとなって建物の外観を損なうことがあるという不都合を有している。
【課題を解決するための手段】
【０００４】
本考案はこれらの不都合を解決することを目的とするもので、本考案のうちで、請求項１記載の考案は、建物の外壁面に露出している配管の周囲を外壁面と共に隠蔽可能な長尺状の隠蔽カバー体と、該隠蔽カバー体を該外壁面に取付可能な取付部材とからなることを特徴とする配管隠蔽構造にある。
【０００５】
又、請求項２記載の考案は、上記隠蔽カバー体に上記外壁面の色に合う着色処理を施してなることを特徴とするものであり、又、請求項３記載の考案は、上記隠蔽カバー体を各種の配管の大きさ及び外壁面の色に合わせて複数種類用意してなることを特徴とするものである。
【考案の効果】
【０００６】
本考案は上述の如く、請求項１記載の考案にあっては、長尺状の隠蔽カバー体により建物の外壁面に露出している配管の周囲を外壁面と共に隠蔽配置し、この隠蔽カバー体を取付部材により外壁面に取り付けることができ、建物の外壁面等に露出したままの既設の配管を隠蔽カバー体により隠蔽することができ、配管を風雨等の気象現象や外力から保護することができると共に建物の美観を保つことができる。
【０００７】
又、請求項２記載の考案にあっては、上記隠蔽カバー体に上記外壁面の色に合う塗装や焼き付け等により着色処理が施されているから、外壁面の色と隠蔽カバー体の色を同色にすることができ、それだけ一層、建物の美観を保つことができ、又、請求項３記載の考案にあっては、この隠蔽カバー体を各種の配管の大きさ及び外壁面の色に合わせて複数種類用意しているから、各種配管を容易に隠蔽することができる。
【考案を実施するための最良の形態】
【０００８】
図１乃至図９は本考案の実施の形態例を示し、図１乃至図３は第一形態例、図４乃至図６は第二形態例、図７乃至図９は第三形態例である。
【０００９】
図１乃至図３の第一形態例において、１は隠蔽カバー体であって、建物Ｗの外壁面Ｄに露出している配管Ｈの周囲を外壁面Ｄと共に隠蔽可能な断面半円形状にして金属製の長尺状に形成されている。
【００１０】
２は取付部材であって、この場合、隠蔽カバー体１の半円形状の外周面を押圧可能な帯板状に形成され、釘や螺子等の止着部材３により建物Ｗの外壁面Ｄに止着可能に構成されている。
【００１１】
この場合、上記隠蔽カバー体１に上記外壁面Ｄの色に合う塗装や焼き付け等により着色処理が施されており、この隠蔽カバー体１を各種の配管Ｈの大きさ及び外壁面Ｄの色に合わせて複数種類用意している。
【００１２】
この実施の第一形態例は上記構成であるから、長尺状の隠蔽カバー体１により建物Ｗの外壁面Ｄに露出している配管Ｈの周囲を外壁面と共に隠蔽配置し、この隠蔽カバー体１を取付部材２により外壁面Ｄに取り付けることができ、建物の外壁面Ｄ等に露出したままの既設の配管Ｈを隠蔽カバー体１により隠蔽することができ、配管Ｈを風雨等の気象現象や外力から保護することができると共に建物Ｗの美観を保つことができる。
【００１３】
又、この場合、上記隠蔽カバー体１に上記外壁面Ｄの色に合う塗装や焼き付け等により着色処理が施されているから、外壁面の色と隠蔽カバー体１の色を同色にすることができ、それだけ一層、建物Ｗの美観を保つことができ、又、この場合、この隠蔽カバー体１を各種の配管Ｈの大きさ及び外壁面Ｄの色に合わせて複数種類用意しているから、各種配管Ｈを容易に隠蔽することができる。
【００１４】
図４乃至図６の第二形態例は別例構造を示し、この場合、隠蔽カバー体１は建物Ｗの外壁面Ｄに露出している配管Ｈの周囲を外壁面Ｄと共に隠蔽可能な台形状にして金属製の長尺状に形成され、取付部材２にあっては、隠蔽カバー体１の台形状の外周面を押圧可能な帯板状に形成され、釘や螺子等の止着部材３により建物Ｗの外壁面Ｄに止着可能に構成されている。
【００１５】
この第二形態例にあっても、上記第一形態例と同様な作用効果を得ることができると共にできる。
【００１６】
図７乃至図９の第三形態例は別例構造を示し、この場合、隠蔽カバー体１は建物Ｗの外壁面Ｄに露出している配管Ｈの周囲を外壁面Ｄと共に隠蔽可能な断面半円状にして金属製の長尺状に形成され、この側面覆い部１ａの上端部に半球殻状の上部隠蔽部１ｂを一体に形成し、取付部材２にあっては、隠蔽カバー体１の半円状の外周面を押圧可能な帯板状に形成され、釘や螺子等の止着部材３により建物Ｗの外壁面Ｄに止着可能に構成されている。
【００１７】
この第三形態例にあっても、上記第一形態例と同様な作用効果を得ることができると共にできる。
【００１８】
尚、本考案は上記実施の形態例に限られるものではなく、隠蔽カバー体１、取付部材２の形状や構造、取付部材２の取付構造等は適宜変更して設計される。
【００１９】
以上、所期の目的を充分達成することができる。
【図面の簡単な説明】
【００２０】
【図１】本考案の実施の第一形態例の斜視図である。
【図２】本考案の実施の第一形態例の正面図である。
【図３】本考案の実施の第一形態例の側断面図である。
【図４】本考案の実施の第二形態例の斜視図である。
【図５】本考案の実施の第二形態例の正面図である。
【図６】本考案の実施の第二形態例の側断面図である。
【図７】本考案の実施の第三形態例の斜視図である。
【図８】本考案の実施の第三形態例の正面図である。
【図９】本考案の実施の第三形態例の側断面図である。
【符号の説明】
【００２１】
Ｗ    建物
Ｄ    外壁面
Ｈ    配管
１    隠蔽カバー体
２    取付部材
【図１】
0003102386.tif 000003
【図２】
0003102386.tif 000004
【図３】
0003102386.tif 000005
【図４】
0003102386.tif 000006
【図５】
0003102386.tif 000007
【図６】
0003102386.tif 000008
【図７】
0003102386.tif 000009
【図８】
0003102386.tif 000010
【図９】
0003102386.tif 000011